(57)【特許請求の範囲】
【請求項１】
ゴム製のアウトソール５と樹脂製のミッドソール４とを有する靴底において、
前記アウトソール５の前足部５Ｆは、内側部Ｍ、外側部Ｌおよび前記内側部と前記外側部との間の中央部ＣＮを有し、
前記前足部５Ｆの前記内側部Ｍには前記アウトソール５またはミッドソール４の基底面５Ｓから突出したゴム製の複数の内側クリート１１を有し、
前記前足部５Ｆの前記外側部Ｌには前記アウトソール５またはミッドソール４の基底面５Ｓから突出したゴム製の複数の外側クリート１４を有し、
前記内側クリート１１と前記外側クリート１４とは前記アウトソール５の長軸ＣＬに直交する幅方向Ｄ３に互いに離間しており、
前記内側クリート１１は第１係合面１１Ｅと前記第１係合面１１Ｅの反対側の第１反対面Ｓ１とを有し、
前記外側クリート１４は第２係合面１４Ｅと前記第２係合面１４Ｅの反対側の第２反対面Ｓ２とを有し、
前記第１係合面１１Ｅは前記第１反対面Ｓ１に対し以下の要件（ａ１）〜（ｃ１）のうちの少なくとも１つの要件を満足し、
（ａ１）前記第１係合面１１Ｅの前記幅方向Ｄ３の長さＬＥが前記第１反対面Ｓ１のそれＬ１よりも長いこと、
（ｂ１）前記第１係合面１１Ｅの前記基底面５Ｓとのなす角α１が前記第１反対面Ｓ１の前記基底面５Ｓとのなす角β１よりも９０°に近いこと、
（ｃ１）前記第１係合面１１Ｅが前記第１反対面Ｓ１に対し、前記基底面５Ｓの外周縁５０から前記幅方向Ｄ３に突出した突出長さΔが大きいこと、
かつ、前記第２係合面１４Ｅは前記第２反対面Ｓ２に対し以下の要件（ａ２）〜（ｃ２）のうちの少なくとも１つの要件を満足し、
（ａ２）前記第２係合面１４Ｅの前記幅方向Ｄ３の長さＬＥが前記第２反対面Ｓ２のそれＬ２よりも長いこと、
（ｂ２）前記第２係合面１４Ｅの前記基底面５Ｓとのなす角α２が前記第２反対面Ｓ２の前記基底面５Ｓとのなす角β２よりも９０°に近いこと、
（ｃ２）前記第２係合面１４Ｅが前記第２反対面Ｓ２に対し、前記基底面５Ｓの外周縁５０から前記幅方向Ｄ３に突出した突出長さΔが大きいこと、
ここにおいて、前記内側クリート１１の前記第１係合面１１Ｅは後方Ｄ２または斜め後方に向かい、
前記外側クリート１４の前記第２係合面１４Ｅは前方Ｄ１または斜め前方に向かっている。
【請求項２】
請求項１の靴底において、
前記要件（ａ１）および（ａ２）を満足する。
【請求項３】
請求項１の靴底において、
前記要件（ｂ１）および（ｂ２）を満足する。
【請求項４】
請求項１の靴底において、
前記要件（ｃ１）および（ｃ２）を満足する。
【請求項５】
請求項１の靴底において、
前記要件（ａ１）、（ａ２）、（ｂ１）および（ｂ２）を満足する。
【請求項６】
請求項１の靴底において、
前記要件（ａ１）、（ａ２）、（ｃ１）および（ｃ２）を満足する。
【請求項７】
請求項１の靴底において、
前記要件（ｂ１）、（ｂ２）、（ｃ１）および（ｃ２）を満足する。
【請求項８】
請求項１の靴底において、
前記要件（ａ１）、（ａ２）、（ｂ１）、（ｂ２）、（ｃ１）および（ｃ２）を満足する。
【請求項９】
請求項１〜８のいずれか１項の靴底において、
前記長軸ＣＬに沿った前後方向または斜め前後方向に延び、かつ、前記中央部に向かう横係合面Ｓ３を、前記各クリート１１、１４が更に備える。
【請求項１０】
請求項１〜９のいずれか１項の靴底において、
前記内側クリート１１の前記第１係合面１１Ｅは斜め後方の外側ＬＡに向かう面を包含する。
【請求項１１】
請求項１〜９のいずれか１項の靴底において、
前記外側クリート１４の前記第２係合面１４Ｅは斜め前方の内側ＭＥに向かう面を包含する。
【請求項１２】
請求項１〜９のいずれか１項の靴底において、
前記内側クリート１１の前記第１係合面１１Ｅは斜め後方の外側ＬＡに向かう面を包含し、前記外側クリート１４の前記第２係合面１４Ｅは斜め前方の内側ＭＥに向かう面を包含する。
【請求項１３】
請求項１〜１２のいずれか１項の靴底において、
前記外側クリート１４の前記第２係合面１４Ｅの幅方向Ｄ３の長さＬＥが、当該外側クリート１４が設けられたアウトソール５の部位の幅の２０％以上に設定されている。
【請求項１４】
請求項１〜１３のいずれか１項の靴底において、
前記内側クリート１１の前記第１係合面１１Ｅの幅方向Ｄ３の長さＬＥが、当該内側クリート１１が設けられたアウトソール５の部位の幅の２０％以上に設定されている。
【請求項１５】
請求項１〜１４のいずれか１項の靴底において、
前記内側クリート１１と外側クリート１４との間には前記内側クリート１１および外側クリート１４から離間した位置に補助クリート１５を更に備える。
【請求項１６】
請求項１〜１５のいずれか１項の靴底において、
前記第１係合面１１Ｅが前記基底面５Ｓの外周縁５０から前記幅方向Ｄ３に突出し、
前記第１反対面Ｓ１は前記基底面５Ｓの外周縁５０に囲まれた領域内に非突出状態で配置されている。
【請求項１７】
請求項１〜１５のいずれか１項の靴底において、
前記第２係合面１４Ｅが前記基底面５Ｓの外周縁５０から前記幅方向Ｄ３に突出し、
前記第２反対面Ｓ２は前記基底面５Ｓの外周縁５０に囲まれた領域内に非突出状態で配置されている。
【請求項１８】
請求項１〜１５のいずれか１項の靴底において、
前記第１係合面１１Ｅが前記基底面５Ｓの外周縁５０から前記幅方向Ｄ３に突出し、
前記第１反対面Ｓ１は前記基底面５Ｓの外周縁５０に囲まれた領域内に非突出状態で配置され、
前記第２係合面１４Ｅが前記基底面５Ｓの外周縁５０から前記幅方向Ｄ３に突出し、
前記第２反対面Ｓ２は前記基底面５Ｓの外周縁５０に囲まれた領域内に非突出状態で配置されている。
【請求項１９】
請求項１〜１８のいずれか１項の靴底において、
前記第１および／または第２係合面１１Ｅ、１４Ｅの上端は前記基底面５Ｓの外周縁５０に囲まれた領域内に配置され、路面に接地する前記内側および／または外側クリート１１、１４の接地面ＴＳと前記第１および／または第２係合面１１Ｅ、１４Ｅとの交線５２における最も縁寄りの突端５３が前記外周縁５０から前記幅方向Ｄ３に突出している。
【請求項２０】
ゴム製のアウトソール５と樹脂製のミッドソール４とを有する靴底において、
前記アウトソール５は、内側部Ｍ、外側部Ｌおよび前記内側部と前記外側部との間の中央部ＣＮを有し、
前記内側部Ｍには前記アウトソール５またはミッドソール４の基底面５Ｓから突出したゴム製の複数の内側クリート１１、３１を有し、
前記外側部Ｌには前記アウトソール５またはミッドソール４の基底面５Ｓから突出したゴム製の複数の外側クリート１４、３４を有し、
前記内側クリート１１、３１と前記外側クリート１４、３４とは前記アウトソール５の長軸ＣＬに直交する幅方向Ｄ３に互いに離間しており、
前記複数のクリートのうち少なくとも１つのクリート１１、１４、３１、３４は、前記アウトソール５の内縁寄りまたは外縁寄りに配置された縁寄部Ｈと、前記アウトソール５の中央部寄りに配置された中央寄部Ｓとを有し、
前記縁寄部Ｈおよび前記中央寄部Ｓは各々接地面ＴＳを有し、
前記縁寄部Ｈと前記中央寄部Ｓとは、互いに３ｍｍ幅以下の溝Ｇを介して配置されているか、あるいは、前記幅方向Ｄ３に互いに連なっており、
前記中央寄部Ｓの圧縮剛性の値が前記縁寄部Ｈのそれよりも小さいか、あるいは、前記中央寄部Ｓのゴムの硬度の値が前記縁寄部Ｈのそれよりも小さい。
【請求項２１】
請求項２０の靴底において、少なくとも、
前記中央寄部Ｓのゴムの硬度の値が前記縁寄部Ｈのそれよりも小さい。
【請求項２２】
請求項２０もしくは２１の靴底において、
前記複数の内側クリート１１、３１のうち前後方向に並ぶ複数の内側クリート１１、３１が、各々、前記縁寄部Ｈおよび中央寄部Ｓを有し、
前記複数の外側クリート１４、３４のうち前後方向に並ぶ複数の外側クリート１４、３４が、各々、前記縁寄部Ｈおよび中央寄部Ｓを有する。
【請求項２３】
請求項２２の靴底において、
前記前後方向に並ぶ複数の前記内側クリート１１と前記前後方向に並ぶ複数の前記外側クリート１４とが、前記アウトソール５の前足部５Ｆに配置されている。
【請求項２４】
請求項２３の靴底において、
前記前足部５Ｆにおいて前記内側クリート１１の中央寄部Ｓから前記外側クリート１４の中央寄部Ｓまでの前記アウトソール５の柔領域ＡＳの圧縮剛性および／またはゴムの硬度の値が前記前足部５Ｆにおける内側および外側クリート１１、１４の縁寄部Ｈのそれよりも小さい。
【請求項２５】
請求項２４の靴底において、
前記柔領域ＡＳの圧縮剛性および／またはゴムの硬度よりも大きい値の硬領域ＡＨが前記前足部５Ｆの内側部Ｍ、外側部Ｌおよび先端部Ｔに設けられている。
【請求項２６】
請求項２２の靴底において、
前記前後方向に並ぶ複数の前記内側クリート３１と前記前後方向に並ぶ複数の外側クリート３４とが、前記アウトソール５の後足部５Ｒに配置されている。
【請求項２７】
請求項２６の靴底において、
前記後足部５Ｒにおいて前記内側クリート３１の前記中央寄部Ｓから前記外側クリート３４の前記中央寄部Ｓまでの前記アウトソール５の柔領域ＡＳの圧縮剛性および／またはゴムの硬度の値が前記後足部５Ｒにおける前記内側および外側クリート３１、３４の縁寄部Ｈのそれよりも小さい。
【請求項２８】
請求項２７の靴底において、
前記柔領域ＡＳの圧縮剛性および／またはゴムの硬度よりも大きい値の硬領域ＡＨが前記後足部５Ｒの内側部Ｍ、外側部Ｌおよび後端部ＣＲに設けられている。
【請求項２９】
請求項２０〜２８のいずれかの靴底において、
前記中央寄部Ｓと前記縁寄部Ｈとの間には前記溝Ｇが設けられ、
前記溝Ｇの幅が０．１ｍｍ〜３．０ｍｍに設定されている。
【請求項３０】
請求項２９の靴底において、
前記溝Ｇが前記接地面ＴＳから前記基底面５Ｓまで延びている。
【請求項３１】
請求項２５もしくは２８の靴底において、
前記柔領域ＡＳと硬領域ＡＨとの間の前記アウトソール５には別の溝Ｇ１，Ｇ２が形成され、前記別の溝Ｇ１，Ｇ２が前記溝Ｇに連なっている。
【請求項３２】
請求項２０〜３１のいずれか１項の靴底において、
前記各クリートは、係合面と前記係合面の反対側の反対面Ｓ１，Ｓ２とを有し、前記各クリートの係合面は前記基底面５Ｓの外周縁５０から前記幅方向Ｄ３に突出した突出部５１を有する。
【請求項３３】
請求項３２の靴底において、
前記係合面の上端は前記基底面５Ｓの外周縁５０に囲まれた領域内に配置され、前記突出部５１は路面に接地する接地面ＴＳと前記係合面との交線５２における最も縁寄りの突端５３が前記外周縁５０から幅方向Ｄ３に突出している。
【発明の詳細な説明】
【技術分野】
【０００１】
本発明はトレイルランニング、登山、クロスカントリーのような不整地路面や濡れた傾斜路面に適した靴底の他に、散歩用、雨用および日常的な靴のグリップ性能を改良した靴底に関する。
【背景技術】
【０００２】
一般に、不整地路面でのグリップ性能を向上させる為には、クリートが路面に貫入し、グリップする時にかき出す土の量を大きくさせることが効果的である。その為、グリップする時に路面からクリートにかかる荷重の向きに直交する面に対する投影面積を増大させる事が重要となる。しかし、従来は傾斜した路面の走行時におけるソール面内での荷重の方向、特に、前足部における荷重の方向が十分に考慮されていない。また、靴底の内側縁および外側縁の接地の重要性について十分に考慮されておらず、十分にグリップ性能を考慮したクリートの設計はなされていないようである。
【先行技術文献】
【特許文献】
【０００３】
【特許文献１】ＷＯ２０１４／１６７７１３Ａ１（要約）
【特許文献２】ＪＰ６３−６４２０７Ａ（第２図）
【特許文献３】ＪＰ３１３８７７０Ｂ２（ＦＩＧ１３Ｂ）
【特許文献４】ＪＰ５３０７３５６（図５）
【特許文献５】ＪＰ２００５−４０２３４Ａ（要約）
【特許文献６】ＪＰ２０１２−１０１０５７Ａ（要約）
【特許文献７】ＪＰ２０１３−１２６５２９Ａ（要約）
【特許文献８】ＪＰ２０００−０７０００３Ａ（第２図）
【０００４】
トレイルランニングでは、上り下りの傾斜路面や砂利道、岩場の他にぬかるんだ不整地路面がコースの大半を占める。中でも、下りの濡れた岩場、ぬかるみ等の路面は特に滑りやすく、そのため、グリップ性能の重要度が高い。動作分析や実際のレース分析の結果、傾斜路面の走行では、下記の（ｉ）〜（iii）の要素について考慮するのが好ましい。
（ｉ）つま先を踵よりも外側に開いた状態、つまりオープン接地の状態で前足部から中足部にかけて接地するなどの特徴が明らかになっている。したがって、前記オープン接地の状態でアウトソールに作用する面内荷重に対してクリートの位置や向きを決定する。
（ii）濡れた路面でのグリップ性を向上させるためには、滑る方向に対するクリートの向きおよび高さの影響が大きい。
（iii）ぬかるみでのグリップ性能を向上させるためには、クリートの係合面の投影面積の影響が大きい。【０００５】
アウトソールが低硬度のラバーで形成されている場合、アウトソールが変形し易く、そのため、グリップ性能が向上する。しかし、低硬度のアウトソールの外周縁は走行や歩行時の外力により剥がれが生じやすく、そのため、耐久性が低下するだろう。【０００６】
なお、市川（特許文献１：ＷＯ２０１４／１６７７１３Ａ１）の研究および開示は、傾斜路面を歩行（例えば４ｋｍ／ｈ）した場合についてのものであり、傾斜路面を走行（例えば１０ｋｍ／ｈ）する場合については何ら開示も示唆もしていない。【０００７】
したがって、本発明の目的は地面や舗装路面だけでなく傾斜した路面の特に不整地路面におけるグリップ性能に優れた靴底を提供することである。【０００８】
本発明の構成の説明に先立って、傾斜路面の走行におけるソール面内での荷重の方向について説明する。【０００９】
本発明者は、傾斜角度１０°の傾斜路面を走行（１０ｋｍ／ｈ）した時にソール面内にかかる主な荷重の位置と向きについて研究した。荷重の位置と方向の概略を図示したものを図１０および図１１に示す。図１０および図１１において、矢印Ｆ１およびＦ２は、それぞれ、上り走行時および下り走行時にかかる荷重の位置と向きを包括的に、かつ、概略的に示している。【００１０】
図１０（ａ），図１１（ａ）および図１０（ｆ），図１１（ｆ）は、走行方向Ｄに対するアウトソール５の長軸ＣＬに対する開き角Ｂ１、Ｂ２を示す。【００１１】
一般に、傾斜のない又は小さい平地の走行では、図１０（ａ）の開き角Ｂ１が小さいストレート接地により走行するだろう。しかし、傾斜が大きい路面では図１０（ｆ）のように開き角Ｂ２が大きい場合、大きな推進やブレーキ力が得られる。このことは、短距離走やスケーティングのスタート直後に開き角Ｂ２が大きくなることからも、理解されるだろう。【００１２】
図１０および図１１において、図中の１０％…９０％は着地から離地まで時間の割合を示す。図１０（ｂ）〜図１０（ｅ）および図１１（ｂ）〜図１１（ｅ）は、それぞれ、開き角Ｂ１が小さいストレート接地による上り走行および下り走行の場合の荷重Ｆ１，Ｆ２を示す。一方、図１０（ｇ）〜図１０（ｊ）および図１１（ｇ）〜図１１（ｊ）は、それぞれ、オープン接地による上り走行および下り走行の場合の荷重Ｆ１，Ｆ２を示す。【００１３】
図１０の荷重Ｆ１の作用点の位置から分かるように、上り走行においては接地の後半にソールの前足部５Ｆの内側部Ｍに主な荷重Ｆ１が発生することが分かる。その理由は、ヒールライズの局面において、前足の母趾および第２趾が大きな推進力を発揮するためであろうと推測される。【００１４】
また、図１０（ｂ）〜図１０（ｅ）のストレート接地において、荷重Ｆ１はソールの長軸ＣＬに沿った後方Ｄ２に向かって発生し易いことが分かる。一方、図１０（ｇ）〜図１０（ｊ）のオープン接地では荷重Ｆ１は長軸ＣＬに対し大きく傾いた斜め外側ＬＡの後方に向かって発生することが分かる。【００１５】
この上り走行のテスト結果から、上り走行においては、前足部５Ｆの内側部Ｍに後方Ｄ２および斜め後方の外側に向かって足を蹴り出すための係合面をソールに設けることが有利であろうと推測される。【００１６】
図１１の荷重Ｆ２の作用点の位置から分かるように、下り走行においては、接地の前半にソールの前足部５Ｆの外側部Ｌに主な荷重Ｆ２が発生することが分かる。その理由は、下り走行においては位置エネルギーにより連続的な推進力が発生し、一方、滑りを防止するために前足の小趾および第４趾がブレーキ力を発揮する必要があるためであろうと推測される。【００１７】
また、図１１（ｂ）〜図１１（ｅ）のストレート接地では荷重Ｆ２はソールの長軸ＣＬに対し若干傾いた前方Ｄ１に向かって発生することが分かる。一方、図１１（ｇ）〜（ｊ）のオープン接地では荷重Ｆ１は、前方Ｄ１だけでなく長軸ＣＬに対し大きく傾いた斜め内側に向かって発生することが分かる。【００１８】
更に、図１１（ｃ）〜（ｅ）と図１１（ｈ）〜（ｊ）の荷重Ｆ２の比較により、オープン接地の方がストレート接地よりも、大きなブレーキ力を発揮することが分かる。【００１９】
この下り走行のテスト結果から、下り走行においては、前足部５Ｆの外側部Ｌに前方Ｄ１および斜め前方の内側ＭＥに向かってブレーキ力を生じるための係合面をソールに設けることが有利であろうと推測される。【００２０】
本発明は第１局面において、ゴム製のアウトソール５の前足部５Ｆは、内側部Ｍ、外側部Ｌおよび前記内側部と前記外側部との間の中央部ＣＮを有し、
前記前足部５Ｆの前記内側部Ｍには前記アウトソール５またはミッドソール４の基底面５Ｓから突出したゴム製の複数の内側クリート１１を有し、
前記前足部５Ｆの前記外側部Ｌには前記アウトソール５またはミッドソール４の基底面５Ｓから突出したゴム製の複数の外側クリート１４を有し、
前記内側クリート１１と前記外側クリート１４とは前記アウトソール５の長軸ＣＬに直交する幅方向Ｄ３に互いに離間しており、
前記内側クリート１１は第１係合面１１Ｅと前記第１係合面１１Ｅの反対側の第１反対面Ｓ１とを有し、
前記外側クリート１４は第２係合面１４Ｅと前記第２係合面１４Ｅの反対側の第２反対面Ｓ２とを有し、
前記第１係合面１１Ｅは前記第１反対面Ｓ１に対し以下の要件（ａ１）〜（ｃ１）のうちの少なくとも１つの要件を満足し、
（ａ１）前記第１係合面１１Ｅの前記幅方向Ｄ３の長さＬＥが前記第１反対面Ｓ１のそれＬ１よりも長いこと、
（ｂ１）前記第１係合面１１Ｅの前記基底面５Ｓとのなす角α１が前記第１反対面Ｓ１の前記基底面５Ｓとのなす角β１よりも９０°に近いこと、
（ｃ１）前記第１係合面１１Ｅが前記第１反対面Ｓ１に対し、前記基底面５Ｓの外周縁５０から前記幅方向Ｄ３に突出した突出長さΔが大きいこと、
かつ、前記第２係合面１４Ｅは前記第２反対面Ｓ２に対し以下の要件（ａ２）〜（ｃ２）のうちの少なくとも１つの要件を満足し、
（ａ２）前記第２係合面１４Ｅの前記幅方向Ｄ３の長さＬＥが前記第２反対面Ｓ２のそれＬ２よりも長いこと、
（ｂ２）前記第２係合面１４Ｅの前記基底面５Ｓとのなす角α２が前記第２反対面Ｓ２の前記基底面５Ｓとのなす角β２よりも９０°に近いこと、
（ｃ２）前記第２係合面１４Ｅが前記第２反対面Ｓ２に対し、前記基底面５Ｓの外周縁５０から前記幅方向Ｄ３に突出した突出長さΔが大きいこと、
ここにおいて、前記内側クリート１１の前記第１係合面１１Ｅは後方Ｄ２または斜め後方に向かい、
前記外側クリート１４の前記第２係合面１４Ｅは前方Ｄ１または斜め前方に向かっている。【００２１】
前記要件（ａ１）〜（ｃ１）のうちの少なくとも１つの要件を満足する前記第１係合面１１Ｅは前記第１反対面Ｓ１よりも大きな係合力（グリップ力）を発揮し得る。前記要件（ａ２）〜（ｃ２）のうちの少なくとも１つの要件を満足する前記第２係合面１４Ｅは前記第２反対面Ｓ２よりも大きな係合力（グリップ力）を発揮し得る。【００２２】
前記内側クリート１１の前記第１係合面１１Ｅは後方Ｄ２または斜め後方に向かっている。そのため、ストレート接地やオープン接地の上り走行において、前足部５Ｆの内側クリート１１により路面を蹴り出して大きな推進力が得られるだろう。【００２３】
前記外側クリート１４の前記第２係合面１４Ｅは前方Ｄ１または斜め前方に向かっている。そのため、ストレート接地やオープン接地の下り走行において、前足部５Ｆの外側クリート１４により路面に対しブレーキ力を発揮し、滑りの発生が抑制される。【００２４】
本発明において、前記内側部Ｍ、外側部Ｌおよび中央部ＣＮとは、アウトソール５を前記幅方向Ｄ３に３等分した内側、外側および中央の部位を意味すると解することができる。なお、各内側および外側クリートは、それぞれ、内側部Ｍ、外側部Ｌから中央部ＣＮに向かって延びていてもよいし、あるいは、内側部Ｍおよび外側部Ｌの端まで延びていなくてもよい。【００２５】
本発明において、アウトソール５の前記基底面５Ｓはアウトソール５のベース部分の下面を意味する。本発明において、アウトソール５の基底面５Ｓが明瞭でない場合や存在しない場合、ミッドソール４の基底面５Ｓからクリートが突出しているか否かの判断の基準となる。【００２６】
本発明において、クリートの突出高さＨｐは特に限定されないが、一般に、１ｍｍ〜１０ｍｍが好ましく、２ｍｍ〜８ｍｍ程度がより好ましく、２．５ｍｍ〜７ｍｍ程度が最も好ましい。【００２７】
前記第１局面において、各係合面および反対面の幅方向Ｄ３の長さＬＥ、Ｌ１、Ｌ２は、各面が長軸ＣＬに対して傾いている場合、実際の各面の長さよりも小さな値となる。各面が長方形でない台形状や平行四辺形状である場合、前記長さＬＥ、Ｌ１、Ｌ２は各面における平均値で算出することができる。【００２８】
前記第１局面において、各係合面１１Ｅまたは１４Ｅが、それぞれ、その反対面Ｓ１またはＳ２に対し、突出長さΔが大きいとは、以下の２つの場合があることを意味する。
場合１：係合面１１Ｅ（および／または１４Ｅ）とその反対面Ｓ１（および／またはＳ２）の双方が外周縁５０から幅方向Ｄ３に突出している場合。
場合２：係合面１１Ｅ（および／または１４Ｅ）は外周縁５０から幅方向Ｄ３に突出しているが、その反対面Ｓ１（および／またはＳ２）は外周縁５０から幅方向Ｄ３に突出していない場合。【００２９】
前記第１局面において、第１係合面１１Ｅが後方Ｄ２または斜め後方に向かうとは、内側クリート１１の後面が第１係合面１１Ｅを構成していることを意味する。一方、第２係合面１４Ｅが前方Ｄ２または斜め前方に向かうとは、外側クリート１４の前面が第２係合面１４Ｅを構成していることを意味する。【００３０】
また、各係合面１１Ｅおよび１４Ｅが後方Ｄ２または前方Ｄ１に向かっているとは、各係合面１１Ｅ（１４Ｅ）と接地面との交線５２が前記長軸ＣＬに直交することを意味する。一方、前記係合面１１Ｅ、１４Ｅが斜め後方（前方）に向かっているとは、前記交線５２が前記幅方向Ｄ３に対し傾いていることを意味する。【００３１】
本発明は第２局面において、ゴム製のアウトソール５は、内側部Ｍ、外側部Ｌおよび前記内側部と前記外側部との間の中央部ＣＮを有し、
前記内側部Ｍには前記アウトソール５またはミッドソール４の基底面５Ｓから突出したゴム製の複数の内側クリート１１、３１を有し、
前記外側部Ｌには前記アウトソール５またはミッドソール４の基底面５Ｓから突出したゴム製の複数の外側クリート１４、３４を有し、
前記内側クリート１１、３１と前記外側クリート１４、３４とは前記アウトソール５の長軸ＣＬに直交する幅方向Ｄ３に互いに離間しており、
前記複数のクリートのうち少なくとも１つのクリート１１、１４、３１、３４は、前記アウトソール５の内縁寄りまたは外縁寄りに配置された縁寄部Ｈと、前記アウトソール５の中央部寄りに配置された中央寄部Ｓとを有し、
前記縁寄部Ｈおよび前記中央寄部Ｓは各々接地面ＴＳを有し、
前記縁寄部Ｈと前記中央寄部Ｓとは、互いに３ｍｍ幅以下の溝Ｇを介して配置されているか、あるいは、前記幅方向Ｄ３に互いに連なっており、
前記中央寄部Ｓの圧縮剛性の値が前記縁寄部Ｈのそれよりも小さいか、あるいは、前記中央寄部Ｓのゴムの硬度の値が前記縁寄部Ｈのそれよりも小さい。【００３２】
内側部Ｍや外側部Ｌに配置されたクリートは、前記上り走行や下り走行において係合力を発揮するだろう。特に、内側および外側クリートの中央寄部Ｓは、圧縮剛性の値が前記縁寄部Ｈのそれよりも小さいか、あるいは、前記中央寄部Ｓのゴムの硬度の値が前記縁寄部Ｈのそれよりも小さい。そのため、前記中央寄部Ｓはクリートが変形し易く、大きなグリップ力を発揮するだろう。【００３３】
一方、内側部Ｍや外側部Ｌの縁寄部Ｈは圧縮剛性の値および／またはゴムの硬度の値が中央寄部Ｓに比べ大きく、そのため、クリートが剥がれたり欠けたりし難いだろう。したがって、アウトソールの耐久性が低下するのを抑制し得る。【００３４】
ところで、上り走行や下り走行では横への身体の傾きや倒れが平地よりも生じ易く、走行が不安定になり易い。これに対し、縁寄部Ｈが中央寄部Ｓよりも変形しにくく、したがって、足の内反や外反を抑制し、走行が安定し易いだろう。【００３５】
前記第２局面において、“前記内側クリート１１、３１と前記外側クリート１４、３４とは前記アウトソール５の長軸ＣＬに直交する幅方向Ｄ３に互いに離間しており、”とは、
内外のクリートが幅方向Ｄ３に３ｍｍ以上、好ましくは５ｍｍ〜７０ｍｍ、より好ましくは８ｍｍ〜６５ｍｍ、最も好ましくは１０ｍｍ〜６０ｍｍ程度離れていることを意味する。【００３６】
前記第２局面において、“前記縁寄部Ｈと前記中央寄部Ｓとは、互いに３ｍｍ幅以下の溝Ｇを介して配置されているか、あるいは、前記幅方向Ｄ３に連なっており、”とは各クリート１１、３１、１４、３４が１つのクリートとして機能し得ることを意味する。前記３ｍｍ幅以下の溝Ｇは深い溝Ｇの幅が３ｍｍを超える場合、１つのクリートとして機能し得ないクリートの集合を除外するために設けられた限定である。【００３７】
前記溝Ｇとは各クリートの表面に凹凸を形成するための浅い溝ではなく、少なくともクリートの突出高さＨｐの５０％以上の深さを有する深い溝を意味し、好ましくは、溝Ｇが前記基底面５Ｓまで延びているのが好ましく、前記基底面５Ｓを超えて延びているのが最も好ましい。したがって、深さが突出高さＨｐの５０％未満である場合、縁寄部Ｈと前記中央寄部Ｓとは幅方向Ｄ３に連なっていると解される。【００３８】
本第２局面において、前記中央寄部Ｓ（縁寄部Ｈ）の圧縮剛性の値Ｅａは、概ね、下記の（１）式で表される。
Ｅａ＝Ｗ・Ｈｐ／λ…（１）
Ｗ：中央寄部Ｓ（または縁寄部Ｈ）に負荷した圧縮荷重
Ｈｐ：クリートの突出高さ
λ：クリートの縮み【００３９】
一般に、クリートの見かけの平面断面積（当該クリートの中央寄部Ｓ（縁寄部Ｈ）の包落線で囲まれた部分の面積）に対する同クリート（中央寄部Ｓ又は縁寄部Ｈ）の真の断面積の比は前記圧縮剛性の値Ｅａに対し正の相関関係を有する。すなわち、中央寄部Ｓや縁寄部Ｈの接地面に溝や凹凸が存在する場合、これらの溝や凹凸は圧縮剛性の値Ｅａの値を低下させる。【００４０】
前記第２局面において、“中央寄部Ｓのゴムの硬度の値が前記縁寄部Ｈのそれよりも小さい”場合、一般に中央寄部Ｓの圧縮剛性の値Ｅａは縁寄部Ｈの圧縮剛性の値Ｅａよりも小さい。ゴムの硬度は素材の剛性であるヤング率に対し正の相関関係を有するからである。【００４１】
アウトソールはゴムの発泡体または非発泡体で形成するのが好ましく、縁寄部Ｈおよび中央寄部Ｓの硬度は、事実上、ＪＩＳ  Ｋ  ６３０１のＣ硬度で５０度〜９５度程度が好ましいだろう。
縁寄部Ｈと中央寄部Ｓとの硬度差は、Ｃ硬度で５度〜３０度程度が好ましく、７度〜２０度程度が最も好ましいだろう。硬度差が小さいと前記効果が得にくい。一方、硬度差が大きいと前記実用的な硬度範囲から外れ易くなる。
かかる観点から、前記アウトソールの縁寄部Ｈの硬度はＣ硬度で７０度〜９２度程度が好ましく、７５度〜９０度程度が最も好ましいだろう。
一方、前記アウトソールの中央寄部Ｓについては、Ｃ硬度で、５５度〜８０度程度が好ましく、６０度〜７５度程度が最も好ましいだろう。
なお、本明細書（発明）において、Ｃ硬度とは、ＪＩＳ  Ｋ  ６３０１Ｃ型の硬度計により測定した値を意味する。また、「硬度の値が・・・小さい」とは、ゴムや樹脂などの粘弾性体の硬度を計測するための硬度計により測定した値が小さいことを意味する。
【図面の簡単な説明】
【００４２】
【図１】図１は本発明の靴底の実施例１を示す概略平面図である。
【図２】図２は同靴底の前足部を拡大して示す拡大平面図である。
【図３】図３は同靴底の概略斜視図である。同図において、黒塗りの部位はアウトソールの側面を示し、密度の大きなドット（ｄｏｔｓ）は硬領域を示し、密度の小さいドットは柔領域を示す。
【図４】図４は同靴底の前足部を示す拡大斜視図である。
【図５】図５は同靴底の前足部を示す拡大斜視図である。
【図６】図６は同靴底の後足部を示す拡大斜視図である。
【図７】図７Ａ、図７Ｂ、図７Ｃおよび図７Ｄは、それぞれ、図２のアウトソールの断面図である。
【図８】図８は実施例２の靴底を示す平面図である。同図において、内側および外側クリートの硬度の大きい部位には密度の大きなドットが付され、硬度の小さい部位には密度の小さなドットが付されている。
【図９】図９は実施例３の靴底の前足部の拡大平面図である。
【図１０】図１０は上り走行において生じる主な荷重を示す概念図である。
【図１１】図１１は下り走行において生じる主な荷重を示す概念図である。
【図１２】図１２は足の骨格を示す底面図である。
【図１３】図１３Ａは実施例４の靴底の前足部の斜視図、図１３Ｂは同実施例の概略断面図である。
【図１４】図１４はクリートの断面図である。
【発明を実施するための形態】
【００４３】
前記第１局面において、前記要件（ａ１）〜（ｃ１）のうち少なくとも１つを満足する第１係合面１１Ｅと、前記要件（ａ２）〜（ｃ２）のうち少なくとも１つを満足する第２係合面１４Ｅとの組合せの数は４９通り存在する。以下前記第１局面における好ましい例が説明される。
【００４４】
第１局面において好ましくは、前記要件（ａ１）および（ａ２）を満足する。
この場合、内外の各係合面１１Ｅ、１４Ｅが幅方向Ｄ３に長く、そのため、上り及び下り路面の走行において、大きな係合力が期待できる。
【００４５】
第１局面において好ましくは、前記要件（ｂ１）および（ｂ２）を満足する。
この場合、内外の各係合面１１Ｅ、１４Ｅが各反対面Ｓ１、Ｓ２よりも９０°に近く、そのため、上り及び下り路面の走行において、大きな係合力が期待できる。
【００４６】
第１局面において好ましくは、前記要件（ｃ１）および（ｃ２）を満足する。
この場合、内外の各係合面１１Ｅ、１４Ｅが基底面５Ｓの外周縁５０から各反対面Ｓ１、Ｓ２に比べ幅方向Ｄ３に大きく突出しており、係合面が長く、そのため、上り及び下り路面の走行において、大きな係合力が期待できる。
【００４７】
第１局面において更に好ましくは、前記要件（ａ１）、（ａ２）、（ｂ１）および（ｂ２）を満足する。また、第１局面において更に好ましくは、前記要件（ａ１）、（ａ２）、（ｃ１）および（ｃ２）を満足する。また、第１局面において更に好ましくは、前記要件（ｂ１）、（ｂ２）、（ｃ１）および（ｃ２）を満足する。
【００４８】
これらの更に好ましい例においては、上り及び下り路面の走行において前記係合力の更なる増大が期待できる。
【００４９】
第１局面において、特に好ましくは、前記要件（ａ１）、（ａ２）、（ｂ１）、（ｂ２）、（ｃ１）および（ｃ２）を満足する。
この場合、前記係合力の著しい増大が期待できる。
【００５０】
第１局面において好ましくは、前記長軸ＣＬに沿った前後方向または斜め前後方向に延び、かつ、前記中央部に向かう横係合面Ｓ３を、前記各クリート１１、１４が更に備える。かかる横係合面Ｓ３は長軸ＣＬに平行でもよいし、長軸ＣＬに対し傾斜していてもよい。
【００５１】
前記横係合面Ｓ３は幅方向Ｄ３への係合力を発揮するだろう。横係合面Ｓ３が斜め前後方向に延びている場合、横係合面Ｓ３は当該方向に直交する方向の係合力が増大する。
【００５２】
第１局面において好ましくは、前記内側クリート１１の前記第１係合面１１Ｅは斜め後方の外側ＬＡに向かう面を包含する。
【００５３】
この場合、オープン接地した前足部の内側クリートが斜め後方に向かって上り路面を力強く蹴り出すだろう。そのため、オープン接地の状態で上り走行を行うことにより、大きな推進力が得られるだろう。
【００５４】
第１局面において好ましくは、前記外側クリート１４の前記第２係合面１４Ｅは斜め前方の内側ＭＥに向かう面を包含する。
【００５５】
この場合、オープン接地した前足部の外側クリートにより斜め前方に向う安定したブレーキ力が発揮されるだろう。そのため、オープン接地の状態で下り走行を行うことにより、下り路面における滑りが抑制される。
【００５６】
第１局面において更に好ましくは、前記内側クリート１１の前記第１係合面１１Ｅは斜め後方の外側ＬＡに向かう面を包含し、前記外側クリート１４の前記第２係合面１４Ｅは斜め前方の内側ＭＥに向かう面を包含する。
【００５７】
この場合、オープン接地の状態で上り走行において大きな推進力が得られ、かつ、下り走行において安定したブレーキ力が得られる。
【００５８】
第１局面において、各係合面の幅方向Ｄ３の長さは、特に限定されない。しかし、各係合面の幅方向Ｄ３の長さが十分に大きい場合、前記係合力の増大が十分に発揮され易い。
【００５９】
かかる観点から、第１局面において好ましくは、前記外側クリート１４の前記第２係合面１４Ｅの幅方向Ｄ３の長さＬＥが、当該外側クリート１４が設けられたアウトソール５の部位の幅の２０％〜５０％に設定される。
同様に好ましくは、前記内側クリート１１の前記第１係合面１１Ｅの幅方向Ｄ３の長さＬＥが、当該内側クリート１１が設けられたアウトソール５の部位の幅の２０％〜５０％に設定される。
【００６０】
幅方向Ｄ３の長さＬＥの比は、２５％〜５０％が更に好ましい、前記比が５０％を超えると、各クリート１１、１４が幅方向Ｄ３に長くなりすぎ、横方向の係合力が低下したり、あるいは、ソールが硬く感じすぎたり、あるいは、アウトソールの重量の増加を招く。
【００６１】
第１局面において好ましくは、前記内側クリート１１と外側クリート１４との間には前記内側クリート１１および外側クリート１４から離間した位置に補助クリート１５を更に備える。  
【００６２】
この場合、内外のクリート１１、１４が幅方向Ｄ３に長くなりすぎず、横方向の係合力が低下しにくく、あるいは、ソールが硬く感じにくく、あるいは、アウトソールの重量の減少を期待できる。
【００６３】
第１局面において好ましくは、前記第１係合面１１Ｅが前記基底面５Ｓの外周縁５０から前記幅方向Ｄ３に突出し、
前記第１反対面Ｓ１は前記基底面５Ｓの外周縁５０に囲まれた領域内に非突出状態で配置されている。
【００６４】
この場合、幅方向Ｄ３の内側に突出した第１係合面１１Ｅは大きな係合力を発揮し、第１反対面Ｓ１が非突出状態であることにより、アウトソールの重量の増大を抑制し得る。なお、この場合、第１係合面１１Ｅは両足の間に向かって突出しており、そのため、他者との接触するおそれがない。
【００６５】
第１局面において好ましくは、前記第２係合面１４Ｅが前記基底面５Ｓの外周縁５０から前記幅方向Ｄ３に突出し、
前記第２反対面Ｓ２は前記基底面５Ｓの外周縁５０に囲まれた領域内に非突出状態で配置されている。
【００６６】
この場合、幅方向Ｄ３の外側に突出した第２係合面１４Ｅは大きな係合力を発揮し、第２反対面Ｓ２が非突出状態であることにより、アウトソールの重量の増大を抑制し得る。
【００６７】
第１局面において更に好ましくは、前記第１係合面１１Ｅが前記基底面５Ｓの外周縁５０から前記幅方向Ｄ３に突出し、
前記第１反対面Ｓ１は前記基底面５Ｓの外周縁５０に囲まれた領域内に非突出状態で配置され、
前記第２係合面１４Ｅが前記基底面５Ｓの外周縁５０から前記幅方向Ｄ３に突出し、
前記第２反対面Ｓ２は前記基底面５Ｓの外周縁５０に囲まれた領域内に非突出状態で配置されている。
【００６８】
この場合、幅方向Ｄ３に突出した係合面１１Ｅ、１４Ｅは大きな係合力を発揮し、反対面Ｓ１、Ｓ２が非突出状態であることにより、アウトソールの重量の増大を更に抑制し得る。
【００６９】
第１局面において好ましくは、前記第１および／または第２係合面１１Ｅ、１４Ｅの上端は前記基底面５Ｓの外周縁５０に囲まれた領域内に配置され、路面に接地する前記内側および／または外側クリート１１、１４の接地面ＴＳと前記第１および／または第２係合面１１Ｅ、１４Ｅとの交線５２における最も縁寄りの突端５３が前記外周縁５０から前記幅方向Ｄ３に突出している。
【００７０】
この場合、第１および／または第２係合面１１Ｅ、１４Ｅの突出部５１は最も突出した突端５３に向かって鋭った形状である。そのため、前記係合力の増大を図りつつ、アウトソールの更なる重量抑制を図り得る。
【００７１】
以下、前記第２局面における好ましい例が説明される。
【００７２】
第２局面において好ましくは、前記中央寄部Ｓのゴムの硬度の値が前記縁寄部Ｈのそれよりも小さい。
【００７３】
溝や凹凸による圧縮剛性の設定は、一般に、接地面に近い部位の圧縮剛性の低下には有用である。しかし、クリートの基底面に近い部位の圧縮剛性の低下は実現されにくい。
これに対し、中央寄部Ｓのゴムの硬度の値が小さい場合、クリートの接地面の近くだけでなく深い範囲にわたって前記剛性の低下を容易に図り得る。
【００７４】
第２局面において好ましくは、前記複数の内側クリート１１、３１のうち前後方向に並ぶ複数の内側クリート１１、３１が、各々、前記縁寄部Ｈおよび中央寄部Ｓを有し、
前記複数の外側クリート１４、３４のうち前後方向に並ぶ複数の外側クリート１４、３４が、各々、前記縁寄部Ｈおよび中央寄部Ｓを有する。
【００７５】
この場合、複数の内側および外側クリートにおいて縁寄部Ｈが中央寄部Ｓよりも変形しにくく、したがって、足の内反や外反が更に抑制され易いだろう。特に、上り走行や下り走行では横への身体の傾きや倒れが抑制され、走行姿勢が安定し易くなる。
【００７６】
第２局面において好ましくは、前記前後方向に並ぶ複数の前記内側クリート１１と前記前後方向に並ぶ複数の前記外側クリート１４とが、前記アウトソール５の前足部５Ｆに配置されている。
【００７７】
この場合、前足部の安定性能が向上する。
【００７８】
第２局面において更に好ましくは、前記前足部５Ｆにおいて前記内側クリート１１の中央寄部Ｓから前記外側クリート１４の中央寄部Ｓまでの前記アウトソール５の柔領域ＡＳの圧縮剛性および／またはゴムの硬度の値が前記前足部５Ｆにおける内側および外側クリート１１、１４の縁寄部Ｈのそれよりも小さい。
【００７９】
この例では、アウトソール５において、中央部ＣＮの柔領域ＡＳが圧縮され易く、一方、縁寄部Ｈが圧縮されにくい。そのため、中央部ＣＮの柔領域ＡＳに荷重が集まり易く走行の安定性能が向上すると共に、内外の縁寄部Ｈが路面に接地し易く大きな係合力が得られ易い。
また、中央寄部Ｓと中央寄部Ｓとの間の柔領域ＡＳが柔構造となり、前足部５Ｆの中央部ＣＮが硬い石や岩に接地した際に、硬度の小さいゴムにより滑りが抑制される。
【００８０】
第２局面において更に好ましくは、前記柔領域ＡＳの圧縮剛性および／またはゴムの硬度よりも大きい値の硬領域ＡＨが前記前足部５Ｆの内側部Ｍ、外側部Ｌおよび先端部Ｔに設けられている。
【００８１】
この場合、前足部５Ｆにおいて内側部Ｍおよび外側部Ｌの硬領域ＡＨは前記滑りの抑制や係合力の増大に寄与し易い。
また、先端部Ｔの硬領域ＡＨは、アウトソール５の先端部Ｔが岩や硬い路面など接触することによって前記先端部Ｔが損傷するのを抑制し得る。
【００８２】
第２局面において好ましくは、前記前後方向に並ぶ複数の前記内側クリート３１と前記前後方向に並ぶ複数の外側クリート３４とが、前記アウトソール５の後足部５Ｒに配置されている。
【００８３】
この場合、後足部５Ｒの内外のクリート３１、３４の縁寄部Ｈはオーバプロネーションやオーバサピネーションの抑制にも役立つと考えられる。
すなわち、この場合、後足部の安定性能が向上する。
【００８４】
第２局面において更に好ましくは、前記後足部５Ｒにおいて、前記内側クリート３１の前記中央寄部Ｓから前記外側クリート３４の前記中央寄部Ｓまでの前記アウトソール５の柔領域ＡＳの圧縮剛性および／またはゴムの硬度の値が前記後足部５Ｒにおける前記内側および外側クリート３１、３４の縁寄部Ｈのそれよりも小さい。
【００８５】
この例では、後足部５Ｒにおいて、中央部ＣＮの柔領域ＡＳが圧縮され易く、一方、縁寄部Ｈが圧縮されにくい。そのため、内外の縁寄部Ｈが路面に接地し易く、走行の安定性が向上すると共に、大きな係合力が得られ易い。
また、中央寄部Ｓと中央寄部Ｓとの間の柔領域ＡＳが柔構造であり、後足部５Ｒの中央部ＣＮが硬い石や岩に接地した際に、滑りが抑制される。
【００８６】
第２局面において更に好ましくは、前記柔領域ＡＳの圧縮剛性および／またはゴムの硬度よりも大きい値の硬領域ＡＨが前記後足部５Ｒの内側部Ｍ、外側部Ｌおよび後端部ＣＲに設けられている。
【００８７】
この場合、後足部５Ｒにおいて内側部Ｍおよび外側部Ｌの硬領域ＡＨは前述の前足部と同様に滑りの抑制や係合力の増大に寄与し易い。また、後端部ＣＲの硬領域ＡＨは、アウトソール５の後端部ＣＲが岩や硬い路面など接触することによって前記後端部ＣＲが損傷するのを抑制し得る。
【００８８】
第２局面において好ましくは、前記中央寄部Ｓと前記縁寄部Ｈとの間には前記溝Ｇが設けられ、前記溝Ｇの幅が０．１ｍｍ〜３．０ｍｍに設定されている。
【００８９】
中央寄部Ｓと縁寄部Ｈとの間に溝Ｇがない場合、中央寄部Ｓが縁寄部Ｈに拘束されて変形しにくくなるだろう。これに対し、中央寄部Ｓと縁寄部Ｈとの間に溝Ｇが存在することにより、柔軟な中央寄部Ｓが変形し易く、そのため、所期の効果を発揮し易い。
また、硬度の互いに異なる縁寄部Ｈおよび中央寄部Ｓが溝Ｇの部分において精度良く成型されるだろう。
【００９０】
溝Ｇの幅は前記効果を発揮する上で、かつ、製造上の観点から０．１ｍｍ以上が好ましい。一方、溝Ｇの幅が大きすぎるとクリートの欠損部分が多すぎて、クリートとしての機能が低下し易く、かかる観点から溝Ｇの幅は３．０ｍｍ以下が好ましい。
【００９１】
前記効果の発揮や前記観点から、第２局面において更に好ましくは、前記溝Ｇが前記接地面ＴＳから前記基底面５Ｓまで延びている。
【００９２】
第２局面において更に好ましくは、前記柔領域ＡＳと硬領域ＡＨとの間の前記アウトソール５には別の溝Ｇ１，Ｇ２が形成され、前記別の溝Ｇ１，Ｇ２が前記溝Ｇに連なっている。
【００９３】
この場合、前記柔領域ＡＳと硬領域ＡＨとの変形の連続性が遮断され易い。
また、硬度の互いに異なる硬領域ＡＨおよび柔領域ＡＳが溝Ｇ１，Ｇ２の部分において精度良く成型されるだろう。
【００９４】
第２局面において更に好ましくは、前記各クリートは、係合面と前記係合面の反対側の反対面Ｓ１，Ｓ２とを有し、前記各クリートの係合面は前記基底面５Ｓの外周縁５０から前記幅方向Ｄ３に突出した突出部５１を有する。
【００９５】
この場合、幅方向Ｄ３に突出した係合面１１Ｅ、１４Ｅの突出部５１は係合力を増大させる。
【００９６】
第２局面において更に好ましくは、前記係合面の上端は前記基底面５Ｓの外周縁５０に囲まれた領域内に配置され、前記突出部５１は路面に接地する接地面ＴＳと前記係合面との交線５２における最も縁寄りの突端５３が前記外周縁５０から幅方向Ｄ３に突出している。
【００９７】
この場合、係合面の突出部５１は最も突出した突端５３に向かって鋭った形状である。そのため、前記係合力の増大とアウトソールの重量抑制とを図り得る。
【００９８】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００９９】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。【０１００】
以下、本発明の実施例が図面にしたがって説明される。
各実施例は例えばトレイルランニングやウォーキング用の靴の靴底である。
図３に示すように、靴底はゴム製のアウトソール５と樹脂製のミッドソール４とを備える。なお、靴底の上には足の甲を包むアッパー（図示せず）が設けられる。【０１０１】
ミッドソール４は例えばＥＶＡのような樹脂製の発泡体からなるミッドソール本体を備える。なお、「樹脂製」とは、熱可塑性等の樹脂成分を有するという意味で、任意の適宜の他の成分を含む。また、ミッドソール４には低反発材、高反発材および溝などが設けられてもよい。【０１０２】
アウトソール５は、例えば、ラバースポンジ、ソリッドラバーなどからなる。アウトソール５は前記ミッドソール本体の発泡体よりも耐摩耗性の大きい接地底で、一般に、ミッドソール本体の発泡体よりも硬度が大きい。なお、「ゴム製」とは天然ゴムや合成ゴムの成分を有するという意味で、任意の他の成分を含む。【０１０３】
図１に示すように、前記アウトソール５には、ゴム製の複数の第１クリート１１，１４、第２クリート２１，２４および第３クリート３１，３４が、各々、前足部５Ｆ、中足部５Ｍおよび後足部５Ｒに配置されている。【０１０４】
前記前足部５Ｆ、中足部５Ｍおよび後足部５Ｒとは、それぞれ、図１２の足の前足１Ｆ、中足１Ｍおよび後足１Ｒを覆う部位を意味する。前記前足１Ｆは５本の中足骨と１４個の趾骨からなる。前記中足１Ｍは舟状骨、立方骨および３個の楔状骨からなる。【０１０５】
図３〜図６に示すように、前記各クリートは図３のアウトソール５の基底面５Ｓから下方（路面）に向かって突出し、アウトソール５に一体に形成されている。なお、基底面５Ｓとは、ミッドソール４の下面に沿って概ね一定の厚さを有する部位の底面を意味し、浅い溝や、小さな凹凸を有していてもよい。【０１０６】
図２に拡大して示す前足部５Ｆにおいて、前記第１クリート１１，１４のうち、足の内側ＭＥに配置された内側第１クリート１１は、後方Ｄ２または斜め後方の外側ＬＡに向かう第１係合面１１Ｅを有する。一方、前記第１クリート１１，１４のうち、足の外側ＬＡに配置された外側第１クリート１４は、斜め前方の内側ＭＥに向かう第２係合面１４Ｅを有する。
なお、図１の前足部５Ｆ、中足部５Ｍおよび後足部５Ｒの中央部ＣＮには、後述するゴム製の補助クリート１５，２５，３５がアウトソール５に一体に形成されている。【０１０７】
図３に示す中足部５Ｍにおいて、前記第２クリート２１，２４のうち、足の内側ＭＥに配置された内側第２クリート２１は、斜め後方の外側ＬＡに向かう係合面２１Ｅを有する。一方、前記第２クリート２１，２４のうち、足の外側ＬＡに配置された外側第２クリート２４は、斜め前方の内側ＭＥに向かう係合面２４Ｅを有する。【０１０８】
図６の後足部５Ｒにおいて、前記第３クリート３１，３４のうち、足の内側ＭＥに配置された内側第３クリート３１は、斜め前方の外側ＬＡに向かう係合面３１Ｅを有する。一方、前記第３クリート３１，３４のうち、足の外側ＬＡに配置された外側第３クリート３４は、前方Ｄ１ないし斜め前方の内側ＭＥに向かう係合面３４Ｅを有する。【０１０９】
図１において、前記内側クリート１１、３１は第１係合面１１Ｅ、３１Ｅと前記第１係合面１１Ｅ、３１Ｅの反対側の第１反対面Ｓ１とを有する。一方、前記外側クリート１４，３４は第２係合面１４Ｅ、３４Ｅと前記第２係合面１４Ｅ、３４Ｅの反対側の第２反対面Ｓ２とを有する。【０１１０】
図１において、前記内側クリート１１、３１と前記外側クリート１４、３４とは前記アウトソール５の長軸ＣＬに直交する幅方向Ｄ３に互いに離間している。前記長軸ＣＬに沿った前後方向または斜め前後方向に延び、かつ、前記中央部ＣＮに向かう横係合面Ｓ３が前記各クリート１１、３１、１４、３４に設けられている。【０１１１】
図１において、前記内側クリート１１、３１は横係合面Ｓ３の反対側の内側面Ｓ１１、Ｓ３１を有する。一方、前記外側クリート１４、３４は横係合面Ｓ３の反対側の外側面Ｓ１４、Ｓ３４を有する。【０１１２】
図１において、前記内側クリート１１、３１の内側面Ｓ１１、Ｓ３１はアウトソール５の内側の外周縁５０（内縁）に沿って配置されている。一方、前記外側クリート１４、３４の外側面Ｓ１４、Ｓ３４はアウトソール５の外側の外周縁５０（外縁）に沿って配置されている。【０１１３】
図２において、前記複数の内側第１クリート１１は、足の前後方向に互いに離間し、かつ、内縁に沿って、かつ、前記内縁から若干突出するように配置されている。一方、前記複数の外側クリート１４は、足の前後方向に互いに離間し、かつ、外縁に沿って、かつ、前記外縁から若干突出するように配置されている。
なお、各第１クリート１１および１４は、少なくとも一部が、より好ましくは過半（半分以上）が前足部５Ｆの内側ＭＥまたは外側ＬＡに配置されていればよい。【０１１４】
図７Ａ，図７Ｂにおいて、前記第１、第２および第３クリート１１、１４、２１、２４、３１、３４の前記基底面５Ｓからの突出高さＨｐは、例えば３ｍｍ〜５ｍｍ程度に設定されている。
ここで第１係合面１１Ｅ、係合面２１Ｅおよび３１Ｅ（図１）が基底面５Ｓとなす角α１の好ましい角度の範囲について図１４（ａ）〜（ｃ）を用いて説明する。
まず図１４（ａ）に示すように角α１が９０°よりも小さい場合、水平方向に力Ｆｈが作用するとともに鉛直上向きにも荷重Ｆｚが付加されることとなる。この場合、荷重Ｆｚの反力の影響によりクリートが沈み込む（貫入する）ことから、投影面積が十分に確保されグリップ力を効率よく伝達できる。
次に図１４（ｂ）に示すように角α１が９０°もしくはほぼ９０°である場合、水平方向の力Ｆｈのみが支配的に作用することとなる。この場合もグリップ力を効率よく伝達できるといえる。
一方、図１４（ｃ）に示すように角α１が９０°よりも大きい場合、水平方向の力Ｆｈの作用とともに鉛直下向きに荷重Ｆｚが付加されることとなる。この場合、荷重Ｆｚの反力の影響によりクリートが浮き上がり、投影面積が減少することになる。そのためグリップ力の伝達の効率性はあまり高くないといえる。
以上のことから第１係合面１１Ｅ、係合面２１Ｅおよび３１Ｅ（図１）が基底面５Ｓとなす角α１を９０°または９０°よりも小さくすることでグリップ性の向上が期待される。なお、図７の第２係合面１４Ｅ、係合面２４Ｅおよび３４Ｅ（図１）が基底面５Ｓとなす角α２についても、同様の理由により９０°または９０°よりも小さくすることによってグリップ性の向上が期待される。【０１１５】
図３において、前記各クリート１１、１４、３１、３４は、前記アウトソール５の内側縁寄りまたは外側縁寄りに配置された縁寄部Ｈと、前記中央部寄りに配置された中央寄部Ｓとを有する。前記縁寄部Ｈおよび前記中央寄部Ｓは各々接地面ＴＳを有する。前記縁寄部Ｈと前記中央寄部Ｓとは、互いに３ｍｍ幅以下の深溝Ｇを介して配置されているが、深溝Ｇを介することなく、前記幅方向Ｄ３に連なっていてもよい。【０１１６】
図１の前記内側の各クリート１１、２１、３１と前記外側の各クリート１４、２４、３４とはそれぞれ前記アウトソール５の長軸ＣＬに直交する幅方向Ｄ３に互いに離間している。前記内側の各クリート１１、２１、３１と外側の各クリート１４、２４、３４との間には、それぞれ、前記内側の各クリート１１、２１、３１および外側の各クリート１４、２４、３４から離間した位置に前記補助クリート１５、２５、３５が設けられている。【０１１７】
本実施例の場合、図１に示す内側のクリート１１、２１、３１の前記第１係合面１１Ｅ、係合面２１Ｅおよび３１Ｅは、それぞれ、前記各第１反対面Ｓ１に対し以下のように構成されている。【０１１８】
すなわち、図１の前記第１係合面１１Ｅ、係合面２１Ｅおよび３１Ｅの前記幅方向Ｄ３の長さＬＥは、各々、その反対側の前記第１反対面Ｓ１の長さＬ１よりも長い。
また、前記第１係合面１１Ｅ、係合面２１Ｅおよび３１Ｅが図７Ａの前記基底面５Ｓとなす角α１は、各々、その反対側の前記第１反対面Ｓ１が前記基底面５Ｓとなす角β１よりも９０°に近い。【０１１９】
更に、図２のように、内側のクリート１１の前記第１係合面１１Ｅは、前記基底面５Ｓの外周縁５０から前記幅方向Ｄ３に突出した突出部５１を有する。これに対し、内側のクリート１１の第１反対面Ｓ１は前記外周縁５０から前記幅方向Ｄ３に突出していない。
すなわち、前記第１係合面１１Ｅの一部が前記基底面５Ｓの外周縁５０から前記幅方向Ｄ３に突出している。一方、前記第１反対面Ｓ１は前記基底面５Ｓの外周縁５０に囲まれた領域内に非突出状態で配置されている。【０１２０】
本実施例の場合、図１に示す外側のクリート１４、２４、３４の前記第２係合面１４Ｅ、係合面２４Ｅおよび３４Ｅは、それぞれ、前記第２反対面Ｓ２に対し以下のように構成されている。【０１２１】
すなわち、図１の前記第２係合面１４Ｅ、係合面２４Ｅおよび３４Ｅの前記幅方向Ｄ３の長さＬＥは、各々、その反対側の前記第２反対面Ｓ２のそれＬ２よりも長い。
また、前記第２係合面１４Ｅ、係合面２４Ｅおよび３４Ｅが図７Ｂの前記基底面５Ｓとなす角α２は、各々、その反対側の前記第２反対面Ｓ２が前記基底面５Ｓとなす角β２よりも９０°に近い。【０１２２】
更に、図２のように外側のクリート１４の前記第２係合面１４Ｅは、前記基底面５Ｓの外周縁５０から前記幅方向Ｄ３に突出した部突出部５１を有する。これに対し、外側のクリート１４の第２反対面Ｓ２は前記外周縁５０から前記幅方向Ｄ３に突出していない。
すなわち、前記第２係合面１４Ｅが前記基底面５Ｓの外周縁５０から前記幅方向Ｄ３に突出している。一方、前記第２反対面Ｓは前記基底面５Ｓの外周縁５０に囲まれた領域内に非突出状態で配置されている。【０１２３】
より詳しくは、前足部５Ｆにおいて、図２、図７Ｃおよび図７Ｄの前記各係合面１１Ｅ、１４Ｅの上端（紙面上は下端）は前記基底面５Ｓの外周縁５０に囲まれた領域内に配置され、路面に接地する接地面ＴＳと前記各係合面１１Ｅ、１４Ｅとの交線５２における最も縁寄りの突端５３は前記外周縁５０から前記幅方向Ｄ３に突出している。【０１２４】
図１の前記外側クリート１４の前記第２係合面１４Ｅの幅方向Ｄ３の長さＬＥは、好ましくは、当該外側クリート１４が設けられたアウトソール５の部位の幅の２０％以上に設定され、より好ましくは２５％以上に設定されている。このように長さＬＥはある程度の幅があった方がよいが、それよりも小さい幅、例えば、当該外側クリート１４が設けられたアウトソール５の部位の幅の５％程度の幅にすることも可能である。【０１２５】
図１の前記内側クリート１１の前記第１係合面１１Ｅの幅方向Ｄ３の長さＬＥは、好ましくは、当該内側クリート１１が設けられたアウトソール５の部位の幅２０％以上に設定され、より好ましくは２５％以上に設定されている。外側クリート１４と同様に内側クリート１１の第１係合面１１Ｅの幅方向Ｄ３の長さＬＥも、当該内側クリート１１が設けられたアウトソール５の部位の幅の５％程度の小さい幅にすることが可能である。【０１２６】
図２の前足部５Ｆにおいて、前記内側クリート１１の前記第１係合面１１Ｅは後方Ｄ２または斜め後方に向かっている。【０１２７】
好ましくは、前記内側クリート１１の縁寄部Ｈの前記第１係合面１１Ｅは斜め後方の外側ＬＡに向かう面を形成し、一方、内側クリート１１の中央寄部Ｓの第１係合面１１Ｅは後方または斜め後方の外側ＬＡに向かう面を形成していてもよい。【０１２８】
図２の前足部５Ｆにおいて、前記外側クリート１４の前記第２係合面１４Ｅは前方Ｄ１または斜め前方に向かっている。より好ましくは、前記外側クリート１４の前記第２係合面１４Ｅは斜め前方の内側ＭＥに向かう面を包含する。【０１２９】
なお、図６の後足部５Ｒにおいて、前記内側クリート３１の前記係合面３１Ｅは前方Ｄ１または斜め前方の外側ＬＡに向かっている。一方、前記外側クリート３４の前記係合面３４Ｅは前方Ｄ１または斜め前方の内側ＭＥに向かっている。【０１３０】
図３の前記前足部５Ｆおよび後足部５Ｒの補助クリート１５、３５は、例えば六角柱状で、多方面に対して係合可能になっている。なお、前記前足部５Ｆおよび後足部５Ｒの補助クリート１５、３５は、中足部５Ｍの補助クリート２５のように四角形等の形状であってもよい。【０１３１】
以上のように、各係合面の向きが設定されていることで、種々の路面の上り下りの局面において、ソールと路面との間に滑りが生じにくくなるだろう。【０１３２】
図４および図５において、前記中央寄部Ｓと前記縁寄部Ｈとの間には、接地面ＴＳから基底面５Ｓよりも深い位置まで延びる前記深溝Ｇが設けられている。前記深溝Ｇの幅は例えば１ｍｍ〜２ｍｍ程度に設定されている。【０１３３】
中央寄部Ｓのゴムの硬度の値は前記縁寄部Ｈのそれよりも小さい。これにより、前記中央寄部Ｓの圧縮剛性の値は前記縁寄部Ｈのそれよりも小さい。【０１３４】
図３の前足部５Ｆにおいて、前記内側クリート１１の中央寄部Ｓから前記外側クリート１４の中央寄部Ｓまでの前記アウトソール５は柔領域ＡＳを構成する。前記柔領域ＡＳは圧縮剛性およびゴムの硬度の値が前記前足部５Ｆの縁寄部Ｈのそれよりも小さい。前記柔領域ＡＳの圧縮剛性およびゴムの硬度よりも大きい値の硬領域ＡＨが前記前足部５Ｆの内側部Ｍ、外側部Ｌおよび先端部Ｔに設けられている。【０１３５】
図３の後足部５Ｒにおいて、前記内側クリート３１の前記中央寄部Ｓから前記外側クリート３４の前記中央寄部Ｓまでの前記アウトソール５は柔領域ＡＳを構成する。前記柔領域ＡＳの圧縮剛性およびゴムの硬度の値は前記後足部５Ｒの縁寄部Ｈのそれよりも小さい。前記柔領域ＡＳの圧縮剛性およびゴムの硬度よりも大きい値の硬領域ＡＨが前記後足部５Ｂの内側部Ｍ、外側部Ｌおよび後端部ＣＲに設けられている。【０１３６】
図２の前足部５Ｆにおいて、前記内側クリート１１および外側クリート１４の内側面Ｓ１１および外側面Ｓ１４は、螺旋状の面で定義される。【０１３７】
すなわち、図２の接地面ＴＳにおいて、突端５３は外周縁５０よりも幅方向Ｄ３に突出しており、一方、第１および第２反対面Ｓ１、Ｓ２のコーナの非突出端５４は外周縁５０よりも幅方向Ｄ３に退避している。更に、前記内側面Ｓ１１および外側面Ｓ１４と基底面５Ｓとの交線は、破線で示すように、前記外周縁５０上に配置されている。【０１３８】
図２のかかる形状の内側クリート１１および外側クリート１４は、接地面ＴＳにおいて突出端５３の形成する第１角θ１が鋭角となる（９０°よりも小さい角度）。また、突出端５３において図７Ｃおよび図７Ｄの内側面Ｓ１１および外側面Ｓ１４と接地面ＴＳとが形成する第２角θ２が鋭角となる。一方、図２の接地面ＴＳにおいて非突出端５４の形成する第３角θ３が鈍角となる（９０°よりも大きい角度）。【０１３９】
図３の前記柔領域ＡＳと硬領域ＡＨとの間の前記アウトソール５の基底面５Ｓには区画溝Ｇ１，Ｇ２が形成され、前記浅い区画溝Ｇ１，Ｇ２が前記深溝Ｇに連なっている。前記区画溝Ｇ１，Ｇ２において、アウトソール５の厚さは最も小さく、基底面５Ｓから上方に向かって窪んでいる。【０１４０】
前記互いに連なった溝Ｇ，Ｇ１（Ｇ２）は、本実施例の場合、前足部５Ｆまたは後足部５Ｂにおいてループ状に形成されている。なお、中足部５Ｍにアウトソール５ではなく、非発泡体の樹脂製の強化装置が設けられる場合、前記互いに連なった溝Ｇ，Ｇ１（Ｇ２）は非ループ状で、かつ、Ｕ字状となるであろう。【０１４１】
図４および図６に示すように、前記各クリートの接地面ＴＳには前記深溝Ｇよりも細く、かつ、浅い溝ＧＳが形成されていてもよい。これらの溝ＧＳは接地面ＴＳの接地面積を小さくし、そのため、クリートの圧縮剛性を小さくする。【０１４２】
したがって、縁寄部Ｈと中央寄部Ｓを同硬度とした場合、例えば、縁寄部Ｈの溝ＧＳの比率よりも中央寄部Ｓのそれを小さくすることで、縁寄部Ｈの圧縮剛性が中央寄部Ｓのそれよりも大きくなる。更に、例えば、中央寄部Ｓの接地面ＴＳに半球状の複数の突部が形成されている場合、接地した瞬間の接地面ＴＳと路面との接触面積が著しく小さいので、前記圧縮剛性が著しく小さくなる。【０１４３】
図８は実施例２を示す。
この図に示すように、各係合面１１Ｅ、１４Ｅ、２１Ｅ、２４Ｅ、３１Ｅ、３４Ｅは長軸ＣＬに直交する平面に沿って設けられている。すなわち、全ての係合面１１Ｅ…は前方Ｄ１または後方Ｄ２に向いている。【０１４４】
本実施例において、各第１〜第３クリート１１…における中央寄部Ｓのうちの低硬度の部位には密度の粗いドットが付され、一方、各第１〜第３クリート１１…における中央寄部Ｓおよび縁寄部Ｈのうち高硬度の部位には密度の濃いドットが付されている。このように、中央寄部Ｓの一部が低硬度に設定されていてもよい。【０１４５】
図９は実施例３を示す。
この図に示す前足部５Ｆにおいて、前記内側クリート１１の前記第１係合面１１Ｅは後方Ｄ２に向かう面Ｅ１と斜め後方に向かう面Ｅ２との双方を備える。一方、前記外側クリート１４の前記第２係合面１４Ｅは前方Ｄ１に向かう面Ｅ３と斜め前方に向かう面Ｅ４との双方を備えていてもよい。【０１４６】
前記後方Ｄ２または前方Ｄ１に向かう面Ｅ１、Ｅ３に直交する法線ＮＬ１、ＮＬ３は前記長軸ＣＬに平行である。前記斜め後方に向かう面Ｅ２に直交する法線ＮＬ２は前記長軸ＣＬに対し、当該面Ｅ２よりも後方の点Ｏ２で交差する。一方、前記斜め前方に向かう面Ｅ４に直交する法線ＮＬ４は前記長軸ＣＬに対し、当該面Ｅ４よりも前方の点Ｏ４で交差する。【０１４７】
図１３Ａおよび図１３Ｂは実施例４を示す。
図１３Ａに示すように、本実施例の場合、各クリート１１，１４は互いに前後方向および幅方向Ｄ３に分離されていると共に離間して配置されている。すなわち、各内側クリート１１および外側クリート１４同士は、各々、ミッドソール４の露出面４００を介して、前後方向に互いに離間している。また、内側クリート１１と外側クリート１４とは、ミッドソール４の露出面４００を介して、幅方向Ｄ３に互いに離間している。【０１４８】
図１３Ａおよび図１３Ｂのように、各クリート１１，１４が独立しており、そのため、アウトソール５に基底面５Ｓの存在が認められない場合、アウトソール５のクリート１１，１４が付着された表面が前記基底面５Ｓを定義する。その理由は、かかる表面からのアウトソール５の厚さが前記各クリート１１，１４の高さとなるからである。【０１４９】
なお、本例の場合、前述の１つのクリートとしての機能上、１つのクリート１１，１４とはミッドソール４に囲まれた部分となる。【０１５０】
以上のとおり、図面を参照しながら好適な実施例を説明したが、当業者であれば本明細書を見て、自明な範囲で種々の変更および修正を容易に想定するであろう。
たとえば、溝Ｇ，Ｇ１，Ｇ２，Ｇ３は設けられなくてもよい。中足部にアウトソールに代えて強化装置が設けられていてもよい。
したがって、そのような変更および修正は、請求の範囲から定まる本発明の範囲のものと解釈される。
【産業上の利用可能性】
【０１５１】
本発明はトレイルランニング用、登山用、クロスカントリー用の他に、散歩用、雨靴用および日常的な靴の靴底に利用できる。
【符号の説明】
【０１５２】
１Ｆ：前足  １Ｍ：中足  １Ｒ：後足
４：ミッドソール  ５：アウトソール  
５Ｆ：前足部  ５Ｍ：中足部  ５Ｒ：後足部  ５Ｓ：基底面
５０：外周縁  ５１：突出部  ５２：交線  ５３：突端  ５４：非突出端
１１：内側（第１）クリート  １４：外側（第１）クリート  
１１Ｅ：第１係合面  １４Ｅ：第２係合面  Ｅ１〜Ｅ４：面
１５，２５，３５：補助クリート  
２１：内側第２クリート  ２４：外側第２クリート  ２１Ｅ，２４Ｅ：係合面
３１：内側第３クリート  ３４：外側第３クリート  ３１Ｅ，３４Ｅ：係合面
ＡＨ：硬領域  ＡＳ：柔領域  
Ｈ：縁寄部  Ｓ：中央寄部  Ｔ：先端部  ＣＲ：後端部
ＣＮ：中央部  Ｍ：内側部  Ｌ：外側部
ＣＬ：長軸  Ｄ１：前方  Ｄ２：後方  Ｄ３：幅方向
ＬＥ、Ｌ１、Ｌ２：長さ
ＮＬ１〜ＮＬ４：法線  Ｏ２，Ｏ４：点
Ｆ１，Ｆ２：矢印
Ｇ：（深）溝  Ｇ１，Ｇ２：区画溝  ＧＳ：溝  
Ｈｐ：突出高さ  Δ：突出長さ
Ｓ１：第１反対面  Ｓ２：第２反対面  Ｓ３：横係合面  ＴＳ：頂面（接地面）
Ｓ１１，Ｓ３１：内側面  Ｓ１４，Ｓ３４：外側面
ＭＥ：内側  ＬＡ：外側
α１、α２，β１、β２：角  θ１、θ２、θ３：角  Ｂ１、Ｂ２：開き角
【要約】
前足部の内側部にはアウトソールの基底面から突出したゴム製の複数の内側クリートを有し、前足部の外側部にはアウトソールの基底面から突出したゴム製の複数の外側クリートを有し、内側クリートの第１係合面は後方または斜め後方に向かい、外側クリートの第２係合面は前方または斜め前方に向かっている。【図１】
0005844952.tif 000002
【図２】
0005844952.tif 000003
【図３】
0005844952.tif 000004
【図４】
0005844952.tif 000005
【図５】
0005844952.tif 000006
【図６】
0005844952.tif 000007
【図７】
0005844952.tif 000008
【図８】
0005844952.tif 000009
【図９】
0005844952.tif 000010
【図１０】
0005844952.tif 000011
【図１１】
0005844952.tif 000012
【図１２】
0005844952.tif 000013
【図１３】
0005844952.tif 000014
【図１４】
0005844952.tif 000015